(57)【要約】      （修正有）【課題】投影光学システムとともに使用するための、光パルスのエネルギーを制御するためのシステムおよび方法を提供する。【解決手段】本システムは、光パルスを放出するように構成された光源３１０と、活性光パルスの第１の部分および第２の部分を透過させるように構成された透過要素３２０であって、第１の部分が、投影光学システム３５０へ透過される透過要素と、フィードバックシステム３３０とを含み、フィードバックシステムは活性光パルスの第２の部分を受容し、活性光パルスのエネルギーの総測定量を決定するように構成された検出器３４０、およびエネルギーの総測定量を受容しそれに応答して後続の光パルスの振幅を制御するように構成された制御ユニット３３２を含む。いくつかの実装例では、制御ユニットは追加的に、エネルギーの総測定量と比較し、それに応答して、活性光パルスの幅を制御するように、比較器に伝達するための閾値を設定し得る。【選択図】図３
2019135765.tif 000002
【特許請求の範囲】
【請求項１】
投影光学システムとともに使用するための光パルスシステムであって、前記光パルスシステムは、
レーザパルスを放出するように構成されたポンプレーザ、前記ポンプレーザに電流を供給するように構成された電流駆動、および前記レーザパルスを光パルスに変換するように構成された変換要素、を備える光源と、
活性光パルスの第１の部分および第２の部分を透過させるように構成された透過要素であって、前記第１の部分が、前記投影光学システムへ透過される、透過要素と、
フィードバックシステムと、を備え、前記フィードバックシステムは、
前記活性光パルスの前記第２の部分を受容し、前記活性光パルスのエネルギーの総測定量を決定するように構成された検出器、および
前記活性光パルスのエネルギーの前記総測定量を受容し、それに応答して、前記電流駆動から前記ポンプレーザへの電流を調節することによって後続の光パルスの振幅を制御するように構成された制御ユニット、を備える、光パルスシステム。
【請求項２】
前記フィードバックシステムは、閾値、および前記活性光パルスのエネルギーの前記総測定量を受容し、前記総測定量が前記閾値を超過すると、前記制御ユニットに前記活性光パルスを停止させて、それによって、前記活性光パルスの幅を制御するための比較器をさらに備える、請求項１に記載の光パルスシステム。
【請求項３】
前記制御ユニットは、前記閾値を設定するようにさらに構成されている、請求項２に記載の光パルスシステム。
【請求項４】
前記制御ユニットから前記閾値を受容し、前記閾値を前記比較器に伝達するように構成されたプログラム可能なデジタル−アナログ変換器をさらに備える、請求項３に記載の光パルスシステム。
【請求項５】
前記透過要素は、前記活性光パルスの前記第１の部分を前記投影光学システムに反射し、前記活性光パルスの前記第２の部分を前記フィードバックシステムに透過させるように構成された部分透過型ミラーを備える、請求項１に記載の光パルスシステム。
【請求項６】
前記検出器は、
前記活性光パルスの前記第２の部分を受容し、それを電流に変換するように構成されたフォトダイオードと、
前記電流を受容し、前記電流を積分して前記活性光パルスのエネルギーの前記総測定量を決定するように前記フォトダイオードに連結された積分器と、を備える、請求項１に記載の光パルスシステム。
【請求項７】
前記制御ユニットは、前記活性光パルスの終端で前記積分器をリセットするようにさらに構成されている、請求項６に記載の光パルスシステム。
【請求項８】
前記活性光パルスのエネルギーの総測定量を受容し、前記活性光パルスのエネルギーの前記総測定量に従って、前記制御ユニットに前記活性光パルスの振幅を制御させるように構成されたアナログ−デジタル変換器をさらに備える、請求項１に記載の光パルスシステム。
【請求項９】
前記光源の前記変換要素は、ダイクロイックフィルタと、前記ポンプレーザからレーザパルスを受容し、前記投影光学システムに対して着色された光パルスを発生させるように構成された蛍光体ホイールと、を備える、請求項１に記載の光パルスシステム。
【請求項１０】
前記光源の前記変換要素は、ダイクロイックフィルタと、前記ポンプレーザからレーザパルスを受容し、前記投影光学システムに対して着色された光パルスを発生させるように構成された静的蛍光体要素と、を備える、請求項１に記載の光パルスシステム。
【請求項１１】
前記制御ユニットは、ビットプレーンデータを受容し、前記ビットプレーンデータに従って、前記活性光パルスの幅を制御するようにさらに構成されている、請求項１に記載の光パルスシステム。
【請求項１２】
前記制御ユニットは、ビットプレーンデータを受容し、前記ビットプレーンデータに従って、前記活性光パルスおよび前記後続の光パルスの振幅を制御するようにさらに構成されている、請求項１に記載の光パルスシステム。
【請求項１３】
前記制御ユニットは、ビットプレーンデータを受容し、前記ビットプレーンデータに従って、前記閾値を設定するようにさらに構成されている、請求項３に記載の光パルスシステム。
【請求項１４】
光源によって放出されたパルスのエネルギーを制御する方法であって、
活性光パルスを放出するように前記光源を活性化するステップと、
前記活性光パルスの一部分を測定して、前記活性光パルスのエネルギーの総測定量を決定するステップと、
前記活性光パルスを終了させるように前記光源を不活性化するステップと、
前記活性光パルスのエネルギーの前記総測定量に応答して、後続の光パルスの振幅を制御するステップ、とを含む、方法。
【請求項１５】
前記活性光パルスのエネルギーの前記総測定量の閾値を設定するステップと、
前記活性光パルスのエネルギーの前記総測定量を前記閾値と比較するステップと、
前記閾値が前記活性光パルスのエネルギーの前記総測定量を満たしたかまたは超過したときに前記光源を不活性化するステップと、をさらに含む、請求項１４に記載の方法。
【請求項１６】
前記測定は、
前記活性光パルスの前記一部分を受容し、それを電流に変換するステップと、
前記電流を積分して、前記活性光パルスのエネルギーの前記総測定量を決定するステップと、を含む、請求項１４に記載の方法。
【請求項１７】
ビットプレーンデータを受容するステップをさらに含み、前記不活性化は、前記ビットプレーンデータに従って、前記活性光パルスを終了させるように前記光源を不活性化するステップを含む、請求項１４に記載の方法。
【請求項１８】
ビットプレーンデータを受容するステップと、前記ビットプレーンデータに従って、前記活性光パルスの振幅を制御するステップと、をさらに含む、請求項１４に記載の方法。
【請求項１９】
ビットプレーンデータを受容するステップと、前記ビットプレーンデータに従って、前記閾値を設定するステップと、をさらに含む、請求項１５に記載の方法。
【発明の詳細な説明】
【技術分野】
【０００１】
本開示は、概して、投影システムに関し、より具体的には、投影光学システムとともに使用するための光パルスシステムに関する。
【背景技術】
【０００２】
レーザ蛍光体投影システムでは、ポンプレーザからの光は、蛍光体材料の方へ向けられている。蛍光体は、典型的には、基板に結合され、より広い表面積にわたって熱的負荷を分配するように回転するホイール上に装着されている。単一チップのＤＭＤの用途では、ポンプレーザは、ビットプレーンと同期してパルス化される。回転する蛍光体ホイールからの光出力は、ホイールの外周の周りで強度が変化し、プロジェクタの光エンジンの出力応答における非線形性を引き起こすであろう。応答を線形化するための現在の方法は、変動がホイールの各回転と一致し、ホイールの速度が適切に制御され得ることを必要とする。ホイール上の蛍光体の熱的変動および速度制御におけるジッタは、これらの要件を無効化し得る。
【発明の概要】
【課題を解決するための手段】
【０００３】
上に示されるように、本開示は、投影光学システムとともに使用するための光パルスシステムを対象とする。光パルスシステムは、放出される光パルスを較正および制御するように構成されている。
【０００４】
本開示では、要素は、１つ以上の機能を遂行「するように構成されている」またはかかる機能「のために構成されている」と記載され得る。概して、機能を遂行するように構成されている、または機能を遂行するために構成されている要素は、その機能を遂行することが可能であるか、またはその機能を遂行するために好適であるか、またはその機能を遂行するように適合されているか、またはその機能を遂行するように動作可能であるか、または別様にその機能を遂行することができる。
【０００５】
本明細書の目的のために、「Ｘ、Ｙ、およびＺのうちの少なくとも１つ」および「Ｘ、Ｙ、およびＺの１つ以上」という語句は、Ｘのみ、Ｙのみ、Ｚのみとしてか、または２つ以上の項目Ｘ、Ｙ、およびＺの任意の組み合わせ（例えば、ＸＹＺ、ＸＹ、ＹＺ、ＺＺなど）として解釈され得ることが理解される。「少なくとも１つの〜」および「１つ以上の〜」という語句のいかなる出現においても、２つ以上の項目に対して同様の論理を適用することができる。
【０００６】
「約」、「実質的に」、「本質的に」、「およそ」などの用語は、例えば、当業者によって理解されるように、「に近い」と定義される。これらの用語は、いくつかの実装例では「１０％以内」、他の実装例では「５％以内」、さらに別の実装例では「１％以内」、さらに別の実装例では「０．５％以内」であるように理解される。
【０００７】
本開示の一態様によると、投影光学システムとともに使用するための光パルスシステムが提供される。光パルスシステムは、レーザパルスを放出するように構成されたポンプレーザ、ポンプレーザに電流を供給するように構成された電流駆動、およびレーザパルスを光パルスに変換するように構成された変換要素を備える光源と、活性光パルスの第１の部分および第２の部分を透過させるように構成された透過要素であって、第１の部分が、投影光学システムへ透過される、透過要素と、フィードバックシステムとを備え、フィードバックシステムが、活性光パルスの第２の部分を受容し、活性光パルスのエネルギーの総測定量を決定するように構成された検出器、および活性光パルスのエネルギーの上記総測定量を受容し、それに応答して、電流駆動からポンプレーザへの電流を調節することによって後続の光パルスの振幅を制御するように構成された制御ユニットを備える。
【０００８】
いくつかの実装例では、フィードバックシステムは、閾値、および活性光パルスのエネルギーの上記総測定量を受容し、上記総測定量が上記閾値を超過すると、制御ユニットに活性光パルスを停止させて、それによって、活性光パルスの幅を制御するための比較器をさらに備える。
【０００９】
いくつかの実装例では、制御ユニットは、閾値を設定するようにさらに構成されている。
【００１０】
いくつかの実装例では、光パルスシステムは、制御ユニットから閾値を受容し、閾値を比較器に伝達するように構成されたプログラム可能なデジタル−アナログ変換器をさらに備える。
【００１１】
いくつかの実装例では、透過要素は、活性光パルスの第１の部分を投影光学システムに反射し、活性光パルスの第２の部分をフィードバックシステムに透過させるように構成された部分透過型ミラーを備える。
【００１２】
いくつかの実装例では、検出器は、活性光パルスの第２の部分を受容し、それを電流に変換するように構成されたフォトダイオードと、電流を受容し、電流を積分して活性光パルスのエネルギーの総測定量を決定するようにフォトダイオードに連結された積分器とを備える。
【００１３】
いくつかの実装例では、光パルスシステムは、活性光パルスのエネルギーの総測定量を受容し、活性光パルスのエネルギーの総測定量に従って、制御ユニットに活性光パルスの振幅を制御させるように構成されたアナログ−デジタル変換器をさらに備える。
【００１４】
いくつかの実装例では、光源の変換要素は、ダイクロイックフィルタと、ポンプレーザからレーザパルスを受容し、投影光学システムに対して着色された光パルスを発生させるように構成された蛍光体ホイールとを備える。
【００１５】
いくつかの実装例では、光源の変換要素は、ダイクロイックフィルタと、ポンプレーザからレーザパルスを受容し、投影光学システムに対して着色された光パルスを発生させるように構成された静的蛍光体要素とを備える。
【００１６】
いくつかの実装例では、制御ユニットは、ビットプレーンデータを受容し、ビットプレーンデータに従って、活性光パルスの幅を制御するようにさらに構成されている。
【００１７】
いくつかの実装例では、制御ユニットは、ビットプレーンデータを受容し、ビットプレーンデータに従って、活性光パルスおよび後続の光パルスの振幅を制御するようにさらに構成されている。
【００１８】
いくつかの実装例では、制御ユニットは、ビットプレーンデータを受容し、ビットプレーンデータに従って、閾値を設定するようにさらに構成されている。
【００１９】
本開示の別の態様によると、光源によって放出されたパルスのエネルギーを制御する方法が提供される。本方法は、活性光パルスを放出するように光源を活性化するステップと、活性光パルスの一部分を測定して、活性光パルスのエネルギーの総測定量を決定するステップと、活性光パルスを終了させるように光源を不活性化するステップと、活性光パルスのエネルギーの総測定量に応答して、後続の光パルスの振幅を制御するステップとを含む。
【００２０】
いくつかの実装例では、本方法は、活性光パルスのエネルギーの総測定量の閾値を設定するステップと、活性光パルスのエネルギーの総測定量を閾値と比較するステップと、閾値が活性光パルスのエネルギーの総測定量を満たしたかまたは超過したときに光源を不活性化するステップとをさらに含む。
【００２１】
いくつかの実装例では、本方法は、活性光パルスの一部分を受容し、それを電流に変換するステップと、電流を積分して、活性光パルスのエネルギーの総測定量を決定するステップとを含む。
【００２２】
いくつかの実装例では、本方法は、ビットプレーンデータを受容するステップをさらに含み、不活性化は、ビットプレーンデータに従って、活性光パルスを終了させるように光源を不活性化するステップを含む。
【００２３】
いくつかの実装例では、本方法は、ビットプレーンデータを受容するステップと、ビットプレーンデータに従って、活性光パルスの振幅を制御するステップとをさらに含む。
【００２４】
いくつかの実装例では、本方法は、ビットプレーンデータを受容するステップと、ビットプレーンデータに従って、閾値を設定するステップとをさらに含む。
【００２５】
本明細書に記載されるさまざまな実装例をより良好に理解し、それらがどのように実施され得るかをより明確に示すために、ここで、単なる例として添付の図面への参照を行う。
【図面の簡単な説明】
【００２６】
【図１】従来技術による光パルスシステムを示す。
【図２】非限定的な実施形態による光パルスシステムを示す。
【図３】さらなる非限定的な実施形態による光パルスシステムを示す。
【図４】図２の光パルスシステムにおける光パルスの波形を示す。
【図５】図３の光パルスシステムにおける光パルスの波形を示す。
【図６】光パルスを較正するための方法を示す。
【図７】光パルスのエネルギーを制御するための方法を示す。
【発明を実施するための形態】
【００２７】
最初に、従来技術によるシステム１００のブロック略図である図１に注目する。システム１００は、投影光学システム１５０とともに使用するための光パルス１１２を放出するように構成された光源１１０を備える。光源１１０は、レーザパルスを放出するように構成されたポンプレーザ１１６と、ポンプレーザ１１６に電流を供給するように構成された電流駆動１１５とを備える。
【００２８】
本例では、光源１１０は、ダイクロイックフィルタ１１７と蛍光体ホイール１１８とをさらに備える。ダイクロイックフィルタ１１７および蛍光体ホイール１１８は、ポンプレーザ１１６によって放出されたレーザパルスを光パルスに変換するように構成されている。ダイクロイックフィルタ１１７は、赤色のセグメントと、緑色のセグメントと、青色のセグメントとの間で交互する、回転するカラーホイールである。他の実装例では、光源１１０は、赤色、緑色、および青色のチャネルの各々に対して独立したポンプレーザ１１６と、色を組み合わせるための静的ダイクロイックコンバイナとを備え得るか、または別様に、投影光学システム１５０に赤色、緑色、および青色の光パルスを放出するように好適に構成されている。
【００２９】
システム１００は、透過要素１２０と制御ユニット１３２とをさらに備える。本例では、透過要素１２０は、光パルス１１２を投影光学システム１５０に向けるように構成された折り返しミラーである。制御ユニット１３２は、光源１１０に動作可能に連結されている。具体的には、制御ユニット１３２は、電流駆動１１５を有効および無効にするように、光源１１０の電流駆動１１５に連結されている。次に、電流駆動１１５は、ポンプレーザ１１６にレーザパルス１１１を放出させるために、ポンプレーザ１１６への電流を活性化および不活性化するように構成されている。ダイクロイックフィルタ１１７および蛍光体ホイール１１８は、レーザパルス１１１を受容して、レーザパルス１１１を光パルス１１２に変換し、それに伴って、光源１１０に光パルス１１２を放出させる。例えば、制御ユニット１３２は、デジタルマイクロミラーデバイス（ＤＭＤ：ｄｉｇｉｔａｌ  ｍｉｃｒｏｍｉｒｒｏｒ  ｄｅｖｉｃｅ）プロジェクタシステムのビットプレーン要件に従って、光源１１０に光パルス１１２を放出させるように構成され得る。
【００３０】
システム１００の光パルス１１２は、較正されない。ポンプレーザ１１６および蛍光体ホイール１１８を含む光源１１０の構成要素の性能がパルス間で一致しておらず、光パルス１１２の不一致を引き起こすことがある。具体的には、光パルスは、所与のビットプレーンに必要とされる正確かつ精密な量の光を放出しないことがある。ハイダイナミックレンジ投影などの要求の厳しい映像用途の場合、光源１１０によって生成された光パルス１１２は、高い一致性を必要とする。
【００３１】
ここで、投影光学システム２５０とともに使用するための光パルスシステム２００を示す図２に注目する。光パルスシステム２００は、光パルス２１２を放出するように構成された光源２１０と、透過要素２２０と、フィードバックシステム２３０とを含む。
【００３２】
光源２１０は、投影光学システム２５０とともに使用するための光パルス２１２を放出するように構成されている。光源２１０は、レーザパルス２１１を放出するように構成されたポンプレーザ２１６と、ポンプレーザ２１６に電流を供給するように構成された電流駆動２１５とを備える。本例では、光源２１０は、ダイクロイックフィルタ２１７と蛍光体ホイール２１８とをさらに備える。ダイクロイックフィルタ２１７および蛍光体ホイール２１８は、ポンプレーザ１１６によって放出されたレーザパルス２１１を光パルス２１２に変換するように構成されている。ダイクロイックフィルタ２１７は、赤色のセグメントと、緑色のセグメントと、青色のセグメントとの間で交互する、回転するカラーホイールである。蛍光体ホイール２１８は、蛍光体コンパウンドで被覆された回転するホイールであり、蛍光体は、レーザパルス２１１によって励起されて、より長い波長を有する着色された光パルス２１２を放出する。
【００３３】
例えば、ポンプレーザ２１６は、４５５ｎｍレーザであり、それに伴って、青色光を発生させ得る。ポンプレーザ２１６から放出されたレーザパルス２１１は、蛍光体ホイール２１８と相互作用して、より長い波長を有する光パルス２１２、具体的には、緑色光を発生させ得る。次に、光パルスは、緑色光を発生させるための約４８０ｎｍ〜５９５ｎｍの通過範囲と、赤色光を発生させるための約５９５ｎｍ〜７００ｎｍの通過範囲とを有するダイクロイックフィルタ２１７と相互作用し得る。蛍光体ホイール２１８およびダイクロイックフィルタ２１７は、ポンプレーザ２１６から直接青色光を透過させる部分を備え得る。したがって、ポンプレーザ２１６、ダイクロイックフィルタ２１７、および蛍光体ホイール２１８は、相互作用して、投影光学システムへの透過のための赤色、緑色、および青色の光パルス２１２を発生させる。
【００３４】
他の実装例では、光源２１０は、ダイクロイックフィルタ２１７と、光パルス２１２を発生させる静的蛍光体要素とを備え得る。具体的には、回転する蛍光体ホイール２１８ではなく、蛍光体の試料を、光パルス２１２を発生させるための基板に結合することができる。静的蛍光体要素は、液体冷却などの蛍光体を冷却するための要素、熱電冷却器（ＴＥＣ：ｔｈｅｒｍｏｅｌｅｃｔｒｉｃ  ｃｏｏｌｅｒ）などをさらに含み得る。
【００３５】
他の実装例では、光源２１０は、赤色、緑色、および青色のチャネルのための独立したポンプレーザ２１６と、色を組み合わせるための静的ダイクロイックコンバイナとを備え得る。別のさらなる実装例では、光源は、ポンプレーザ２１６と、ポンプレーザ２１６からレーザパルス２１１を受容し、レーザパルス２１１を光パルス２１２に変換するように構成された変換要素とを備え得る。光源２１０は、別様に、投影光学システム２５０に赤色、緑色、および青色の光パルスを放出するように好適に構成され得る。したがって、光源２１０は、光源１１０と同様である。
【００３６】
透過要素２２０は、概して、活性光パルス２１２の第１の部分２１２ａおよび第２の部分２１２ｂを透過させるように構成されている。第１の部分２１２ａは投影光学システム２５０に透過され、第２の部分２１２ｂはフィードバックシステム２３０に透過される。本例では、透過要素２２０は、活性光パルス２１２の約９９％を含む第１の部分２１２ａを投影光学システム２５０に反射し、活性光パルス２１２の約１％を含む第２の部分２１２ｂをフィードバックシステム２３０に透過させる部分透過型ミラーである。他の実装例では、透過要素２２０が、第１の部分２１２ａを投影光学システム２５０に透過させ、第２の部分２１２ｂをフィードバックシステム２３０に反射するように構成され得るか、または透過要素２２０が、より高いかもしくはより低い反射率を有し得るか、もしくは別様に、第１の部分２１２ａを投影光学システム２５０に透過させ、第２の部分２１２ｂをフィードバックシステム２３０に透過させるように好適に構成され得る。
【００３７】
フィードバックシステム２３０は、検出器２４０と制御ユニット２３２とを含む。概して、フィードバックシステム２３０は、各光パルス２１２を監視し、それに応答して、後続のパルスを調節するように構成されている。
【００３８】
具体的には、検出器２４０は、概して、第２の部分２１２ｂを受容し、活性光パルス２１２のエネルギーの総測定量を決定するように構成されている。いくつかの実装例では、検出器は、フォトダイオード２４２と積分器２４４とを含み得る。フォトダイオード２４２は、第２の部分２１２ｂを受容し、それを電流に変換して、積分器２４４に透過させるように構成されている。積分器２４４は、電流を受容し、それを積分して活性光パルス２１２のエネルギーの総測定量を決定する。他の実装例では、検出器２４０は、第２の部分２１２ｂを受容し、第２の部分２１２ｂに基づいて活性光パルス２１２のエネルギーの総測定量を決定するための他の好適な構成要素を含み得る。いくつかの実装例では、積分器２４４はエネルギーの総測定量をアナログ信号として出力し、それに伴って、検出器２４０はエネルギーの総測定量をデジタル入力として制御ユニット２３２に伝達するアナログ−デジタル変換器（ＡＤＣ：ａｎａｌｏｇ−ｔｏ−ｄｉｇｉｔａｌ  ｃｏｎｖｅｒｔｅｒ）２４６をさらに含み得る。
【００３９】
制御ユニット２３２は、光源２１０に動作可能に連結されている。具体的には、制御ユニット２３２は、電流駆動２１５を制御するように光源２１０の電流駆動２１５に連結されている。次に、電流駆動２１５は、ポンプレーザ２１６に電流を提供して、ポンプレーザ２１６にレーザパルス２１１を放出させる。ダイクロイックフィルタ２１７および蛍光体ホイール２１８は、レーザパルス２１１を受容して、レーザパルス２１１を光パルス２１２に変換し、それに伴って、光源２１０に光パルス２１２を放出させる。
【００４０】
システム１００の制御ユニット１３２とは対照的に、制御ユニット２３２は、電流駆動２１５からポンプレーザ２１６への電流を制御し、それによって、レーザパルス２１１および後で発生した光パルス２１２の両方の振幅を制御するようにさらに構成されている。具体的には、制御ユニット２３２は、電流駆動２１５からポンプレーザ２１６への電流を増加させ、それによって、活性レーザパルス２１１の振幅を増加させ得るか、または制御ユニットは、電流駆動２１５からポンプレーザ２１６への電流を低下させ、それによって、活性レーザパルス２１１の振幅を低下させ得る。次に、活性光パルス２１２の振幅は、ダイクロイックフィルタ１１７および蛍光体ホイール１１８によって受容された活性レーザパルス２１１の振幅に比例するであろう。したがって、活性光パルス２１２は、固定された持続時間だが、プログラム可能な振幅を有するであろう。
【００４１】
制御ユニット２３２は、活性光パルス２１２のエネルギーの総測定量を受容し、それに応答して、後続の光パルスの振幅を制御するように構成されている。具体的には、活性光パルス２１２のエネルギーの総測定量は、制御ユニット２３２に伝達されて、エネルギーの予測測定量と比較される。したがって、制御ユニット２３２は、後続のレーザパルスおよび結果として生じる光パルスの振幅を制御し得る。例えば、活性光パルス２１２のエネルギーの総測定量がエネルギーの予測測定量よりも低い場合、制御ユニット２３２は、電流駆動２１５からポンプレーザ２１６への電流を増加させ、それによって、後続のレーザパルスおよび結果として生じる光パルスの振幅を増加させ得る。
【００４２】
制御ユニット２３２は、光パルス間で積分器２４４をリセットするようにさらに構成されている。各光パルスについて、フィードバックシステム２３０は、エネルギーの総測定量を決定し、それに応じて、光源２１０を較正し得る。したがって、ポンプレーザ２１６または電流駆動２１５における不一致を適応させることができる。さらに、蛍光体ホイール２１８が同期的な様式で動作される（すなわち、回転速度がフレーム率の整数倍である）場合、発生した光パルス２１２（蛍光体変換率）は映像フレーム間で一致する。つまり、各光パルス２１２が蛍光体ホイールの同じ部分で発生し、それに伴って、例えば、厚さなどの蛍光体の任意の変動が較正時に捕捉され、考慮されるであろう。
【００４３】
例えば、システム２００は、ＤＭＤプロジェクタシステムのビットプレーン要件に従って、光パルスを較正するように構成され得る。したがって、制御ユニット２３２は、映像源からビットプレーンデータを受容するように構成され得る。ビットプレーンデータは、各ビットプレーンの長さ、各ビットプレーンに関する光の要件などを含み得る。いくつかの実装例では、ビットプレーンデータが各ビットプレーンに関するエネルギーの予測測定量を含み得る一方、他の実装例では、制御ユニットが、各ビットプレーンに関する光の要件に基づいて、各ビットプレーンに関するエネルギーの予測測定量を決定し得る。
【００４４】
図４は、システム２００内のいくつかの点におけるいくつかのパルスの一連の波形を示す。図４は、一連のビットプレーンＢＰ１−１、ＢＰ２−１、ＢＰ３−１、およびＢＰ４−１を示す。所与のビットプレーンの開始時点では、ＤＭＤプロジェクタ内のすべての光源２１０はオフになっているであろう。ＤＭＤミラーは、必要なポジション（オン状態またはオフ状態）に調節されるであろう。一旦ミラーが定着されると、制御ユニット２３２は、電流駆動２１５からポンプレーザ２１６への電流を有効および無効にする。ポンプレーザ３１６の出力は、最初は公称値に設定され、それに伴って、ポンプレーザ電流パルス４０１、４０２、４０３、４０４の振幅が設定される。制御ユニット２３２はまた、電流駆動２１５を介してポンプレーザ２１６から出力されたポンプレーザ電流パルス４０１〜４０４の幅を、対応するビットプレーン幅よりもわずかに小さい幅を有するように設定して、切り替え時間を可能にする。
【００４５】
ポンプレーザ電流パルス４０１〜４０４は、蛍光体ホイール２１８に衝突し、これは、次に蛍光体光パルス４１１〜４１４をそれぞれ発生させる。蛍光体光パルス４１１〜４１４は、ポンプレーザ電流パルスのそれぞれの形状に対応し、それに伴って、蛍光体光パルス４１１〜４１４はまた、共通の振幅、および対応するビットプレーン幅よりもわずかに小さい幅を有する。
【００４６】
図４はまた、蛍光体光パルス４１１〜４１４に対する積分器出力波形４３１〜４３４を示す。積分された出力波形４３１〜４３４は、蛍光体光パルス４１１〜４１４のエネルギーの総測定量を表し、制御ユニット２３２に伝達され、エネルギーの予測測定量と比較される。本例では、パルス４３１および４３３は高すぎると測定され、パルス４３４は低すぎると測定された。
【００４７】
ビットプレーンＢＰ１−２、ＢＰ２−２、ＢＰ３−２、およびＢＰ４−２を含む後続の映像フレームでは、ポンプレーザ電流パルス４５１〜４５４、ひいては、パルス４６１〜４６４の振幅は、前の積分された出力波形４３１〜４３４に従って、制御ユニット２３２によって調節される。具体的には、制御ユニット２３２は、電流駆動２１５に、ビットプレーンＢＰ１−２およびＢＰ３−２の間ではポンプレーザ２１６の出力を低下させ、それによって、ポンプレーザ電流パルス４５１および４５３の振幅を低下させ、ビットプレーンＢＰ４−２の間ではポンプレーザ２１６の出力を増加させ、それによって、ポンプレーザ電流パルス４５４の振幅を増加させる。したがって、パルス４６１および４６３は低下された振幅を有し、パルス４６４は増加された振幅を有する。すべての幅は一定のままである。パルス４６１〜４６４を積分して、後続の映像フレームを較正するために使用され得る積分器出力波形４８１〜４８４を生成する。したがって、システム２００は、ポンプレーザ２１６、電流駆動２１５、または蛍光体変換率における不一致を考慮するようにレーザパルスを較正し得る。
【００４８】
システム２００の較正は、フレーム間で蛍光体ホイール２１８の光出力が一致していると仮定する。この仮定は、蛍光体ホイール２１８の速度制御においてジッタが多すぎる場合には無効化される。同期システムでは、レーザパルス２１１のエネルギーは、常に、蛍光体ホイール２１８の同じ位置に蓄積される。これは局所加熱につながる。非同期ホイールは、より良好な熱的性能を有するであろうが、一致性の仮定を無効化する。したがって、非同期システムでは、前の映像フレームから捕捉された較正データは、次の映像フレームの正確な予測性能にはつながらないことがある。
【００４９】
図３は、さらなる実施形態による、投影光学システム３５０とともに使用するための光パルスシステム３００を示す。光パルスシステム３００は、光パルス３１２を放出するように構成された光源３１０と、透過要素３２０と、フィードバックシステム３３０とを含む。
【００５０】
光源３１０は、投影光学システム３５０とともに使用するためにレーザパルス３１１を放出するように構成されている。光源３１０は、光源２１０および１１０と同様である。具体的には、光源３１０は、レーザパルス３１１を放出するように構成されたポンプレーザ３１６と、ポンプレーザ３１６に電流を供給するように構成された電流駆動３１５とを含む。本例では、光源３１０は、ダイクロイックフィルタ３１７と蛍光体ホイール３１８とをさらに備える。ダイクロイックフィルタ３１７および蛍光体ホイール３１８は、ポンプレーザ３１６によって放出されたレーザパルス３１１を光パルス３１２に変換するように構成されている。ダイクロイックフィルタ３１７は、赤色のセグメントと、緑色のセグメントと、青色のセグメントとの間で交互する、回転するカラーホイールである。蛍光体ホイール３１８は、蛍光体コンパウンドで被覆された回転するホイールであり、蛍光体は、レーザパルス３１１によって励起されて、より長い波長を有する着色された光パルス３１２を放出する。
【００５１】
例えば、ポンプレーザ３１６は、４５５ｎｍレーザであり得、それに伴って、青色光を発生させる。ポンプレーザ３１６から放出されたレーザパルス３１１は、蛍光体ホイール３１８と相互作用して、より長い波長を有する光パルス３１２、具体的には、緑色光を発生させ得る。次に、光パルスは、緑色光を発生させるための約４８０ｎｍ〜５９５ｎｍの通過範囲と、赤色光を発生させるための約５９５ｎｍ〜７００ｎｍの通過範囲とを有するダイクロイックフィルタ３１７と相互作用し得る。蛍光体ホイール３１８およびダイクロイックフィルタ３１７は、ポンプレーザ３１６から直接青色光を透過させる部分を備え得る。したがって、ポンプレーザ３１６、ダイクロイックフィルタ３１７、および蛍光体ホイール３１８は、相互作用して、投影光学システムへの透過のための赤色、緑色、および青色の光パルス３１２を発生させる。
【００５２】
他の実装例では、光源３１０は、ダイクロイックフィルタ３１７と、光パルス３１２を発生させる静的蛍光体要素とを備え得る。具体的には、回転する蛍光体ホイール３１８ではなく、蛍光体の試料を、光パルス３１２を発生させるための基板に結合することができる。静的蛍光体要素は、液体冷却などの蛍光体を冷却するための要素、ＴＥＣなどをさらに含み得る。
【００５３】
他の実装例では、光源３１０は、赤色、緑色、および青色のチャネルのための独立したポンプレーザ３１６と、色を組み合わせるための静的ダイクロイックコンバイナとを備え得る。別のさらなる実装例では、光源は、ポンプレーザ３１６と、ポンプレーザ３１６からレーザパルス３１１を受容し、レーザパルス３１１を光パルス３１２に変換するように構成された変換要素とを備え得る。光源３１０はまた、異なる波長のポンプレーザと、異なる通過範囲を有するダイクロイックフィルタとを備え得るか、または光源３１０は、別様に、投影光学システム３５０に赤色、緑色、および青色の光パルスを放出するように好適に構成されている。
【００５４】
透過要素３２０は、透過要素２２０と同様である。透過要素３２０は、概して、活性光パルス３１２の第１の部分３１２ａおよび第２の部分３１２ｂを透過させるように構成されている。第１の部分３１２ａは投影光学システム３５０に透過され、第２の部分３１２ｂはフィードバックシステム３３０に透過される。本例では、透過要素３２０は、活性光パルス３１２の約９９％を含む第１の部分３１２ａを投影光学システム３５０に反射し、活性光パルス３１２の約１％を含む第２の部分３１２ｂをフィードバックシステム３３０に透過させる部分透過型ミラーである。他の実装例では、透過要素３２０が、第１の部分３１２ａを投影光学システム３５０に透過させ、第２の部分３１２ｂをフィードバックシステム３３０に反射するように構成され得るか、または透過要素３２０が、より高いかもしくはより低い反射率を有し得るか、もしくは別様に、第１の部分３１２ａを投影光学システム３５０に透過させ、第２の部分３１２ｂをフィードバックシステム３３０に透過させるように好適に構成され得る。
【００５５】
フィードバックシステム３３０は、検出器３４０と、比較器３３４と、制御ユニット３３２とを含む。概して、フィードバックシステム３３０は、各活性光パルス３１２を監視し、それに応答して、活性光パルス３１２ならびに後続の光パルスを調節するように構成されている。
【００５６】
検出器３４０は、検出器２４０と同様である。検出器３４０は、概して、第２の部分３１２ｂを受容し、活性光パルス２１２のエネルギーの総測定量を決定するように構成されている。いくつかの実装例では、検出器は、フォトダイオード３４２と積分器３４４とを含み得る。フォトダイオード３４２は、第２の部分３１２ｂを受容し、それを電流に変換して、積分器３４４に透過させるように構成されている。積分器３４４は、電流を受容し、それを積分して活性光パルス３１２のエネルギーの総測定量を決定する。他の実装例では、検出器３４０は、第２の部分３１２ｂを受容し、第２の部分３１２ｂに基づいて活性光パルス３１２のエネルギーの総測定量を決定するための他の好適な構成要素を含み得る。いくつかの実装例では、積分器３４４はエネルギーの総測定量をアナログ信号として出力し、それに伴って、検出器３４０はエネルギーの総測定量をデジタル入力として制御ユニット３３２に伝達するＡＤＣ３４６をさらに含み得る。
【００５７】
比較器３３４は、閾値、および活性光パルス３１２のエネルギーの総測定量を受容し、上記総測定量が閾値を超過すると、制御ユニットに活性光パルス３１２を停止させて、それによって、活性光パルスの幅を制御するように構成されている。具体的には、比較器３３４は、活性光パルス３１２の積分された総測定量を閾値と比較し、積分された総測定量が閾値を超過するとパルス完了信号を生成する。パルス完了信号は、制御ユニット３３２に伝達される。
【００５８】
制御ユニット３３２は、光源３１０に動作可能に連結されている。具体的には、制御ユニット３３２は、電流駆動３１５を制御するように光源３１０の電流駆動３１５に連結されている。次に、電流駆動３１５は、ポンプレーザ３１６、ひいては、光源３１０に光パルスを放出させるように、ポンプレーザ３１６に供給された電流を活性化および不活性化する。
【００５９】
制御ユニット２３２と同様に、制御ユニット３３２は、電流駆動３２５からポンプレーザ３１６への電流を制御し、それによって、活性レーザパルス３１１および後で発生した活性光パルス３１２の振幅を制御するように構成されている。制御ユニット３３２は、活性光パルス３１２のエネルギーの総測定量を受容し、それに応じて、後続の光パルスの振幅を制御する。具体的には、活性光パルス３１２のエネルギーの総測定量は、制御ユニット３３２に伝達されて、エネルギーの予測測定量と比較される。したがって、制御ユニット３３２は、後続の光パルスの振幅を制御し得る。
【００６０】
制御ユニット３３２は、比較器３３４からパルス完了信号を受容するようにさらに構成されている。パルス完了信号を受容する際、制御ユニット３３２は、電流駆動３１５からポンプレーザ３１６への電流を不活性化するように構成されている。制御ユニット３３２は、閾値を設定するようにさらに構成されている。制御ユニット３３２は、閾値をデジタル信号として表現することができ、それに伴って、いくつかの実装例では、フィードバックシステム３３０は、制御ユニットから閾値を受容し、閾値をアナログ信号として比較器３３４に伝達するように構成されたプログラム可能なデジタル−アナログ変換器（ＤＡＣ：ｄｉｇｉｔａｌ−ｔｏ−ａｎａｌｏｇ  ｃｏｎｖｅｒｔｅｒ）３３３をさらに含み得る。制御ユニット３３２は、光パルス間で積分器３４４をリセットするように構成されており、それに伴って、各活性光パルス３１２について、フィードバックシステム３３０は、エネルギーの総測定量を決定し、それに応じて、光源３１０を制御し得る。
【００６１】
例えば、システム３００は、ＤＭＤプロジェクタシステムのビットプレーン要件に従って、光パルスを制御するように構成され得る。したがって、制御ユニット３３２は、映像源からビットプレーンデータを受容するように構成され得る。ビットプレーンデータは、各ビットプレーンの長さ、各ビットプレーンに関する光の要件などを含み得る。いくつかの実装例では、ビットプレーンデータが各ビットプレーンに関するエネルギーの予測測定量を含み得る一方、他の実装例では、制御ユニットが、各ビットプレーンに関する光の要件に基づいて、各ビットプレーンに関するエネルギーの予測測定量を決定し得る。同様に、ビットプレーンデータが各ビットプレーンの閾値を含み得るか、または制御ユニットが、各ビットプレーンに関する光の要件に基づいて、各ビットプレーンの閾値を決定し得る。
【００６２】
図５は、システム３００内のいくつかの点におけるいくつかのパルスの一連の波形を示す。図５は、一連のビットプレーンＢＰ１−３、ＢＰ２−３、ＢＰ３−３、およびＢＰ４−３を示す。所与のビットプレーンの開始時点では、ＤＭＤプロジェクタ内のすべての光源３１０はオフになっているであろう。ＤＭＤミラーは、必要なポジション（オン状態またはオフ状態）に調節されるであろう。一旦ミラーが定着されると、制御ユニット３３２は、電流駆動３１５からポンプレーザ３１６への電流を有効にする。ポンプレーザ３１６の出力は、最初は公称値に設定され、それに伴って、ポンプレーザ電流パルス５０１、５０２、５０３、５０４の振幅が設定される。制御ユニット３３２はまた、ＤＡＣ３３３を介してポンプレーザ３１６から出力されたポンプレーザ電流パルス５０１〜５０４の幅を設定し、閾値を上に記載されるように設定する。いくつかの実装例では、制御ユニット３３２は、パルス完了信号が、割り当てられたビットプレーン時間内に生成されなかった場合、最大幅を設定し得る。例えば、切り替え時間を可能にするように、最大幅を対応するビットプレーン幅よりもわずかに小さくすることができる。
【００６３】
ポンプレーザ電流パルス５０１〜５０４は、蛍光体ホイール３１８に衝突し、これは、次に蛍光体光パルス５１１〜５１４をそれぞれ発生させる。蛍光体光パルス５１１〜５１４は、ポンプレーザ電流パルス５０１〜５０４のそれぞれの形状に対応し、それに伴って、蛍光体光パルス５１１〜５１４はまた、共通の振幅、および対応するビットプレーン幅よりもわずかに小さい最大幅を有する。
【００６４】
図５はまた、閾値５２１〜５２４、および蛍光体光パルス５１１〜５１４に対する積分された出力波形５３１〜５３４をそれぞれ示す。積分された出力波形５３１〜５３４は、蛍光体光パルス５１１〜５１４のエネルギーの総測定量を表す。閾値５２１〜５２４は、比較器３３４を介して、積分された出力波形５３１〜５３４と相互作用して、各パルスの幅を設定し得る。具体的には、閾値５２１〜５２４および積分された出力波形５３１〜５３４は、それぞれの積分された出力波形５３１〜５３４がそれぞれの閾値５２１〜５２４を超過するとパルス完了信号５４１〜５４４を生成する比較器３３４に送られる。パルス完了信号５４１〜５４４は、それぞれのポンプレーザ電流パルス５０１〜５０４、ひいては、それぞれの蛍光体光パルス５１１〜５１４を終了させるように、電流駆動３１５からポンプレーザ３１６への電流を無効にする制御ユニット３３２に伝達される。
【００６５】
本例では、蛍光体光パルス５１１は、ビットプレーンＢＰ１−３内に割り当てられた時間のかなり前にパルス完了信号５４１をトリガした積分された出力波形５３１を生成した。したがって、パルス振幅は高すぎであり、低下させることができる。パルス蛍光体光パルス５１４は、パルス完了信号５４４をトリガしなかった積分された出力波形５３４を生成したため、パルス振幅は低すぎであり、増加させることができる。
【００６６】
ビットプレーンＢＰ１−４、ＢＰ２−４、ＢＰ３−４、およびＢＰ４−４を含む後続の映像フレームでは、ポンプレーザ電流パルス５５１〜５５４、ひいては、蛍光体光パルス５６１〜５６４の振幅は、前の積分された出力波形５３１〜５３４に従って、制御ユニット３３２によって調節される。具体的には、制御ユニット３３２は、電流駆動３１５に、ビットプレーンＢＰ１−４の間ではポンプレーザ３１６の出力を低下させ、それによって、ポンプレーザ電流パルス５５１の振幅を低下させ、ビットプレーンＢＰ４−４の間ではポンプレーザ３１６の出力を増加させ、それによって、ポンプレーザ電流パルス５５４の振幅を増加させる。したがって、蛍光体光パルス５６１は低下された振幅を有し、蛍光体光パルス５６４は増加された振幅を有する。
【００６７】
蛍光体光パルス５６１〜５６４を積分して、積分された出力波形５８１〜５８４を生成する。積分された出力波形５８１〜５８４を閾値５７１〜５７４と比較して、それぞれの積分された出力波形５８１〜５８４がそれぞれの閾値５７１〜５７４を超過するとパルス完了信号５９１〜５９４を生成する。パルス完了信号５９１〜５９４は、それぞれの蛍光体光パルス５６１〜５６４を終了させるように電流駆動３１５を無効にする制御ユニット３３２に伝達される。したがって、パルス完了信号５９１〜５９４を動的に使用して振幅を調節し、パルス幅を設定することによって、蛍光体光パルス５６１〜５６４の幅も調節される。具体的には、蛍光体光パルス５６１は低下された振幅を有するため、積分された出力波形５８１は、閾値５７１を超過するのにより長くかかるであろう。したがって、パルス完了信号５９１がＢＰ１−４に対して割り当てられた時間の終了のより近くで生成され、ひいては、ポンプレーザ電流パルス５５１および蛍光体光パルス５６１の幅が増加されるであろう。同様に、蛍光体光パルス５６４が増加された振幅を有するため、積分された出力波形５８４は、ＢＰ４−４に対して割り当てられた時間の間に閾値５７４を超過し得る。したがって、ポンプレーザ電流パルス５５４および蛍光体光パルス５６４の幅を低下させることができる。さらに、予測測定量のサイズに満たない任意のパルスは、積分された値が満たされるまで調節された閾値を有し得る。振幅は、パルス完了信号が遅すぎる場合に増加され、パルス完了信号が速すぎる場合に低下される。
【００６８】
したがって、システム３００は、蛍光体ホイール３１８の出力における不一致を考慮するように光パルスを制御し得る。具体的には、システム３００は、蛍光体ホイール３１８の同期性にかかわらず、発生した光にリアルタイムで応答することによって、蛍光体変換率の予想性能についての不確実性を克服する。システム３００は、割り当てられたビットプレーン時間内に完了するのに十分な速さで光が発生することを保証し、システムが、光源３１０をオフにしてから光が発生しなくなるまでの間の時間差などの切り替えの不確実性を補償することを可能にする。
【００６９】
システム２００の構成要素を記載したので、ここで、図６を参照してシステム２００の動作を詳細に記載する。図６は、光源によって放出された光パルスを較正する方法６００を示す。方法６００の説明を助けるために、方法６００はシステム２００を使用して遂行されると仮定されるが、方法６００はシステム３００などの他の好適なシステムによっても遂行され得ることが企図される。方法６００は、示される正確な順序で遂行される必要はなく、したがって、方法６００の部分はステップではなく、ブロックと称されることが留意される。
【００７０】
ブロック６１０において、光源２１０は、活性光パルス２１２を放出するように制御ユニット２３２を介して活性化される。
【００７１】
ブロック６２０において、検出器は、活性光パルス２１２の第２の部分２１２ｂを測定する。特に、フォトダイオード２４２は、第２の部分２１２ｂを受容し、それを電流に変換する。電流は、電流を積分して活性光パルス２１２のエネルギーの総測定量を決定する積分器２４４によって受容される。
【００７２】
ブロック６３０において、エネルギーの総測定量は、制御ユニット２３２に伝達される。特に、積分器２４４は、エネルギーの総測定量を表すアナログ信号を生成し得る。ＡＤＣ２４６は、積分器２４４からエネルギーの総測定量を受容し、アナログ信号をデジタル信号に変換して制御ユニット２３２に伝達する。
【００７３】
ブロック６４０において、光源２１０は、活性光パルス２１２を終了させるように制御ユニット２３２を介して不活性化される。
【００７４】
ブロック６５０において、制御ユニット２３２は、活性光パルス２１２のエネルギーの総測定量に応答して、後続の光パルスの振幅を制御し得る。特に、制御ユニット２３２は、エネルギーの総測定量が予測測定量よりも低い場合、電流駆動２１５からポンプレーザ２１６への電流を増加させて、後続の光パルスの振幅を増加させることができ、エネルギーの総測定量が予測測定量よりも高い場合、電流駆動２１５からポンプレーザ２１６への電流を低下させて、後続の光パルスの振幅を低下させることができる。
【００７５】
システム３００の構成要素を記載したので、ここで、図７を参照してシステム３００の動作を詳細に記載する。図７は、光源によって放出された光パルスのエネルギーを制御する方法７００を示す。方法７００の説明を助けるために、方法７００はシステム３００を使用して遂行されると仮定されるが、方法７００は他の好適なシステムによっても遂行され得ることが企図される。方法７００は、示される正確な順序で遂行される必要はなく、したがって、方法７００の部分はステップではなく、ブロックと称されることが留意される。
【００７６】
ブロック７１０において、光源３１０は、活性光パルス２１２を放出するように制御ユニット３３２を介して活性化される。
【００７７】
ブロック７２０において、制御ユニット３３２は、活性光パルスのエネルギーの総測定量の閾値を設定する。例えば、閾値は、活性ビットプレーンに必要とされる光の最小量に対応し得る。別の例では、閾値は、ターンオフ時間を可能にするマージンを含む、活性ビットプレーンに必要とされる光の最小量に対応し得る。
【００７８】
ブロック７３０において、検出器３４０は、活性光パルス３１２の第２の部分３１２ｂを測定して、活性光パルス３１２のエネルギーの総測定量を決定する。特に、フォトダイオード３４２は、第２の部分３１２ｂを受容し、それを電流に変換する。電流は、電流を積分して活性光パルス３１２のエネルギーの総測定量を決定する積分器３４４によって受容される。
【００７９】
ブロック７４０において、活性光パルス３１２のエネルギーの総測定量は、制御ユニット３３２および比較器３３４に伝達される。特に、積分器３４４は、活性光パルス３１２のエネルギーの総測定量を表すアナログ信号を生成し得る。アナログ信号は、比較器３３４に直接伝達され得る。ＡＤＣ３４６は、積分器３４４から活性光パルス３１２のエネルギーの総測定量を受容し、アナログ信号をデジタル信号に変換して制御ユニット３３２に伝達し得る。
【００８０】
ブロック７５０において、比較器３３４は、総測定量を閾値と比較し、パルス完了信号を制御ユニット３３２に伝達し得、パルス完了信号は、閾値が活性光パルス３１２のエネルギーの総測定量をいつ満たしたかまたは超過したかを示す。
【００８１】
ブロック７６０において、光源３１０は、パルス完了信号に応答して、活性光パルス３１２を終了させるように制御ユニット３３２を介して不活性化される。特に、パルス完了信号が制御ユニット３３２に伝達されると、制御ユニット３３２は光源３１０を不活性化し得る。
【００８２】
ブロック７７０において、制御ユニット３３２は、活性光パルス３１２のエネルギーの総測定量およびパルス完了信号に応答して、後続の光パルスの振幅を制御し得る。特に、パルス完了信号が生じず、エネルギーの総測定量が予測測定量よりも低い場合、後続の光パルスの振幅は増加されるであろう。ビットプレーンに対して割り当てられた時間の前にパルス完了信号が生じる場合、後続の光パルスの振幅は低下されるであろう。加えて、閾値を調節して、後続の光パルスのエネルギーの総測定量を調節することができる。
【００８３】
閾値を調節することなく、振幅を調節すると、パルスの形状の変化をもたらすが、エネルギーの一定した総測定量をもたらす。振幅を調節することなく、単に閾値を調節すると、エネルギーの総測定量の変化をもたらすが、パルスの幅も変化し得る。したがって、制御ユニット３３２は、バランスのとれた幅を維持しながら、光パルスによって生成されたエネルギーの総測定量を適切に調節するように、後続の光パルスのための振幅および閾値の両方を制御し得る。いくつかの例では、制御ユニット３３２は、振幅および閾値を低下させて、それに対応して、より良好な熱的性能を得るように最大レーザパワーを低減させ得る。
【００８４】
さらに多くの代替的な実装例および変形例が可能であること、および上記の例が１つ以上の実装例の例証にすぎないことを当業者は理解するであろう。したがって、その範囲は、添付の特許請求の範囲によってのみ限定されるべきである。
【図１】
2019135765.tif 000003
【図２】
2019135765.tif 000004
【図３】
2019135765.tif 000005
【図４】
2019135765.tif 000006
【図５】
2019135765.tif 000007
【図６】
2019135765.tif 000008
【図７】
2019135765.tif 000009
【外国語明細書】
2019135765000001.pdf